(57)【要約】【課題】繰返し使用される輸送容器を前提として、輸送時のハンドリング、輸送中の全ての動作行為中に、荷物が受ける衝撃等に起因する容器内部での汚染物の漏れ、揮発、こぼれ等が発生した際にも、再使用時の除染が簡便に行える容器構造を備えた汚染廃棄物の輸送容器を提供する。【解決手段】毒物及び有害物のいずれか一方又は双方を主体とする汚染物に汚染された廃棄物１１を運搬する輸送容器１０において、容器内部には、容器内部に着脱可能でしかも廃棄物１１を収納可能な、内装容器、包装、内張り、及び被覆のいずれか１又は２以上からなる保護部材１４が設けられ、容器内部への汚染物の汚染を防ぐ。【選択図】        図１
2004149237.tif 000002
【特許請求の範囲】
【請求項１】
毒物及び有害物のいずれか一方又は双方を主体とする汚染物に汚染された廃棄物を運搬する輸送容器において、
容器内部には、該容器内部に着脱可能でしかも前記廃棄物を収納可能な、内装容器、包装、内張り、及び被覆のいずれか１又は２以上からなる保護部材が設けられ、前記容器内部への前記汚染物の汚染を防ぐことを特徴とする汚染廃棄物の輸送容器。
【請求項２】
請求項１記載の汚染廃棄物の輸送容器において、前記保護部材の内部の底面、天井及び側面のいずれか１又は２以上には緩衝材が設けられ、前記保護部材の損傷を防ぐことを特徴とする汚染廃棄物の輸送容器。
【請求項３】
請求項１及び２のいずれか１項に記載の汚染廃棄物の輸送容器において、前記容器内部の底面にはシート状吸収体が設けられ、前記汚染物の液体が漏洩した場合、前記シート状吸収体で吸収することを特徴とする汚染廃棄物の輸送容器。
【発明の詳細な説明】
【０００１】
【発明の属する技術分野】
本発明は、毒物及び有害物のいずれか一方又は双方を主体とする汚染物に汚染された廃棄物を輸送し運搬する汚染廃棄物の輸送容器に関する。
【０００２】
【従来の技術】
例えば、ＰＣＢ汚染物、医療汚染物質、廃化学品、廃農薬、化学兵器などの汚染物（有害汚染物質）に汚染された廃棄物を、輸送及び運搬する場合に際しては、廃棄物を収納する容器（梱包容器）の汚染問題が課題となっている。即ち、輸送中における容器からの汚染物の漏洩を回避し、二次汚染を防止すること、及び運搬ハンドリングに伴う作業者の接触、被曝を回避することが安全確保の絶対条件となっていた。この対策のため、輸送及び運搬に使用する容器としては、次のような方式が採用されていた。
一つはワンウェイ方式（使い捨て方式とも言う）である。これは、密閉構造をもった容器を用いて輸送終了時に容器も処理されるものであり、例えば、焼却処理を前提とした医療廃棄物の一部の収集輸送容器（運搬容器）はプラスチック製の容器で構成され、この容器に廃棄物を収集し、封印した状態で運搬して、そのまま焼却するものである。この間、容器の開封が厳格に禁じられるため、輸送及び運搬時のハンドリングに伴う汚染が予防されている。なお、この方式は、軽量物の収集及び運搬に適した方法である（例えば、特許文献１参照。）。
他方は、容器の繰返し使用を前提とした方式であり、この場合容器は、適切な管理がなされている。繰返し使用に際しては、容器内部に汚染物が漏洩したり、容器内面に汚染物が接触したりした際にも、容器外への汚染物の漏洩やハンドリングに伴う系外物、作業者の汚染を避けるため、容器が気密性と堅牢性、更には充分な気密性確保を備えることが要求され、容器が重厚となる場合が多かった。また、容器の再使用時には、前回の使用時に容器内面が汚染、又は容器内部に汚染物が残留している可能性があるため、内容物の取り出しに注意が必要となっていた。なお、汚染物による汚染や汚染物の残留がある場合には、容器の充分な洗浄や無害化及び除染を行うことが望ましかった。
【０００３】
【特許文献１】
特開平６−３２４０４号公報
【０００４】
【発明が解決しようとする課題】
しかしながら、上記した容器には以下の問題がある。
ワンウェイ方式では、使い棄てに伴う費用が多大となるため、より簡便な容器が求められるが、簡便な容器では、気密性確保、漏洩回避が必要な対象物の運搬や、機械、部材等の重量物の運搬には不適である。
また、繰返し使用に供する容器の場合には、輸送時に廃棄物からの汚染物の漏れ、揮発、こぼれが発生した際にも、容器外への拡散を回避するための気密性確保及び漏洩回避を重視した堅牢な構造、密閉式の構造が必要である。このため、容器の再使用時には、洗浄及び除染措置による工程数の増加、作業員の増加、加えて容器の保管、スケジューリングなどの維持、管理業務の増加が生じる問題があった。
本発明はかかる事情に鑑みてなされたもので、繰返し使用される輸送容器を前提として、輸送時のハンドリング、輸送中の全ての動作行為中に、荷物が受ける衝撃等に起因する容器内部での汚染物の漏れ、揮発、こぼれ等が発生した際にも、再使用時の除染が簡便に行える容器構造を備えた汚染廃棄物の輸送容器を提供することを目的とする。
【０００５】
【課題を解決するための手段】
前記目的に沿う本発明に係る汚染廃棄物の輸送容器は、毒物及び有害物のいずれか一方又は双方を主体とする汚染物に汚染された廃棄物を運搬する輸送容器において、容器内部には、容器内部に着脱可能でしかも廃棄物を収納可能な、内装容器、包装、内張り、及び被覆のいずれか１又は２以上からなる保護部材が設けられ、容器内部への汚染物の汚染を防ぐ。ここで、汚染物としては、例えば、残留性有機汚染物質（ＰＯＰｓ：例えば、アルドリン、クロルデン、ディルドリン、エンドリン、ヘプタクロル、ＤＤＴ、ヘキサクロロベンゼン、ＰＣＢ、マイレックス、トキサフェン、ダイオキシン、ジベンゾフラン等）、廃農薬、廃化学品等があり、また廃棄物としては、例えば、廃トランス、廃コンデンサー、廃変圧器等が挙げられる。また、保護部材としては、例えば、ビニール、プラスチックなどの樹脂、薄鋼板等によって制作されたものを使用できる。このように、繰返し使用の容器内部に、着脱可能でしかも廃棄物を収納可能な保護部材を設けるので、容器内部への汚染物の汚染が、保護部材によって防止され、容器内部の汚染を回避しつつ輸送容器を多数回使用することが可能となる。なお、保護部材が汚染された場合には、容器内部から保護部材を取外し、これを汚染された廃棄物として適正にかつ簡便に処理できる。
【０００６】
ここで、本発明に係る汚染廃棄物の輸送容器において、保護部材の内部の底面、天井及び側面のいずれか１又は２以上には緩衝材が設けられ、保護部材の損傷を防ぐことが好ましい。ここで、緩衝材としては、例えば、ビニール製の袋内に空気を充填したもの、また袋内にシュレッダーにかけた紙類を充填したもの、発泡剤を入れてつくるウレタン−フォーム、スポンジ等を使用できる。これにより、例えば廃棄物を輸送する際に、輸送時の振動などによって廃棄物が動いても、緩衝材が衝撃を吸収し、保護部材が損傷することを回避できる。
本発明に係る汚染廃棄物の輸送容器において、容器内部の底面にはシート状吸収体が設けられ、汚染物の液体が漏洩した場合、シート状吸収体で吸収することが好ましい。ここで、シート状吸収体としては、液体を吸収できるものであればよく、例えば、スポンジ、紙類等を使用できる。従来は、老朽化あるいは腐食した廃棄物を輸送する際、輸送過程での容器内部での汚染物の染み出しが避けられなかったが、シート状吸収体により、汚染物の液体を吸収でき、汚染された保護部材の除去及び処理が容易になる。
【０００７】
【発明の実施の形態】
続いて、添付した図面を参照しつつ、本発明を具体化した実施の形態につき説明し、本発明の理解に供する。
ここに、図１は本発明の一実施の形態に係る汚染廃棄物の輸送容器の説明図である。
【０００８】
図１に示すように、本発明の一実施の形態に係る汚染廃棄物の輸送容器（以下、単に輸送容器と言う）１０は、毒物であり、しかも有害物でもあるＰＣＢ（汚染物の一例）に汚染された廃トランス（廃棄物の一例）１１を運搬する容器である。以下、詳しく説明する。
【０００９】
輸送容器１０は、従来使用されている鋼板で製造されたコンテナ１２と、コンテナ１２の上方の開口部に例えばゴムパッキン等を介して着脱可能に配置され、コンテナ１２を密閉できるコンテナ蓋１３と、容器内部（即ち、コンテナ１２とコンテナ蓋１３とで囲まれる内側空間）に着脱可能で、しかも廃トランス１１を収納可能な内装容器（保護部材の一例）１４とを有している。
内装容器１４は、コンテナ１２内側面と例えば５〜１０ｃｍの間隔を開けて配置可能な大きさを備えており、例えば、高密度ポリエチレン等の樹脂によって製作されたものである。この内装容器１４内に廃トランス１１を配置することで、廃トランス１１からＰＣＢを含むトランス油が漏洩した場合でも、コンテナ１２内面へのＰＣＢの汚染を防ぐことが可能になる。
【００１０】
内装容器１４の底面には、内装容器１４の底部１５の補強を行うための床板１６が配置され、廃トランス１１の重量による内装容器１４の破損を予め防止している。内装容器１４内部の底面に配置された床板１６の上面には、スポンジ（シート状吸収体の一例）１７が配置され、このスポンジ１７の上に、廃トランス１１が配置されている。これにより、廃トランス１１から液体状のトランス油が漏洩した場合でも、スポンジ１７で吸収することが可能な構成となっている。なお、スポンジ１７は、内装容器１４内部の底面であれば、床板１６の上面でなく下面に配置することも可能である。
【００１１】
内装容器１４内部に配置された廃トランス１１と、内装容器１４内部の側面との間には、ビニール製の袋内に空気を充填した緩衝材１８がそれぞれ配置され、輸送容器１０の輸送中の動作行為によって生じる廃トランス１１の衝撃を吸収している。このように、緩衝材１８によって、廃トランス１１が内装容器１４に衝突しようとする衝撃を吸収できるので、内装容器１４の損傷を未然に防ぐことが可能になる。このため、内装容器１４を、従来のように、気密性確保、漏洩回避が必要な対象物の運搬や、機械、部材等の重量物の運搬には不適である簡便な容器とした場合でも、内装容器１４の損傷を防止でき、内装容器１４からのトランス油の漏洩を防止できるので、経済的である。
なお、廃トランス１１を、ロープ等を使用して予め床板１６に縛りつけて固定することで、廃トランス１１の動きを抑制し、内装容器１４の損傷を未然に防ぐことも可能である。
【００１２】
この輸送容器１０を使用し、廃トランス１１を処理施設まで搬送して、コンテナ１２から内装容器１４を取出し、更に内装容器１４から廃トランス１１を取出して検査を行った後に、廃トランス１１を処理する。このとき、内装容器１４、スポンジ１７、及び緩衝材１８の汚染の有無の検査も行われる。
ここで、ＰＣＢによる内装容器１４への汚染が無い場合には、内装容器１４を繰返し使用できるので、経済的である。また、内装容器１４の内面に汚染があった場合には、廃トランス１１と共に廃棄物として処理施設で処理できるので、処理作業が容易である。
そして、内装容器１４の繰返し使用により、内装容器１４に劣化が認められる場合には、廃トランス１１と共に廃棄物として処理し、新しい内装容器に更新できるので、交換作業が容易である。なお、スポンジ１７及び緩衝材１８についても、内装容器１４と同様の処置を施す。
【００１３】
【実施例】
本発明に係る汚染廃棄物の輸送容器を使用し、搬送試験を行った結果について説明する。
（実施例１）
この輸送容器は、コンテナ内部に高密度ポリエチレンで構成された内装容器が配置されたものである。
この内装容器内に、ＰＣＢを内在した廃トランス、廃コンデンサー類を収納した後、輸送容器を保管場所から処理施設まで運搬した。
劣悪な保管環境に晒された廃トランス類は、外面が腐食していたため、輸送中にＰＣＢを含むトランス油（トランス液）が漏洩する廃トランス類もあった。しかし、このトランス油は内装容器内面への付着があったもののコンテナ内部を直接汚染してなかったため、コンテナは繰返し使用することが可能であった。
このことから、廃トランス類などの重量物を運搬するコンテナであっても、大規模な除染作業が不要であり、かつコンテナを汚染物として処理することが回避できることが確認できた。
【００１４】
（実施例２）
この輸送容器は、コンテナ内部に高密度ポリエチレンで構成された内装容器が配置されたものであり、内装容器内部の側面に、ビニール製の袋内に空気を充填した緩衝材がそれぞれ配置された容器である。
この内装容器内に、ＰＣＢを内在した廃トランス、廃コンデンサー類を収納した後、輸送容器を保管場所から処理施設まで運搬した。
廃トランスを輸送した際に、輸送時の振動などによって輸送容器が動いたが、廃トランスの衝撃は緩衝材によって吸収され、コンテナ内面が損傷することを回避できた。この緩衝材と、内装容器内での廃トランスの固縛や固定措置とを組み合わせることにより、より確実にコンテナ損傷と荷物の損傷を回避できることが確認できた。
【００１５】
（実施例３）
この輸送容器は、コンテナ内部に高密度ポリエチレンで構成された内装容器が配置されたものであり、内装容器内部の底面には、吸収シート（シート状吸収体の一例）が配置された容器である。
この内装容器内に、老朽化或いは腐蝕したＰＣＢを内在した廃トランス、廃コンデンサー類を収納した後、輸送容器を保管場所から処理施設まで運搬した。
廃トランスを輸送した際は、輸送過程で廃トランスからのトランス油の染み出しが避けられなかったが、底面に配置された吸収シートにトランス油が吸収され、汚染された内装容器の除去及び処理が容易であった。また、廃トランスの保管時に、漏洩液の拡散防止用の防液パンを廃トランスに設置している場合は、この防液パンと共に廃トランスを内装容器に収納し、この内装容器をコンテナに収納して輸送することで、コンテナの汚染が避けられ、かつ汚染物の処理が容易となった。なお、廃トランスの下部に床板を設置することにより、収納した廃トランスの底部との接触や、摩擦に伴う内装容器の損傷が回避できた。ここで、内装容器の底面に吸収シートがある場合には、床板を吸収シートの上面又は下面のいずれに設置しても同様の効果が得られる。
【００１６】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記した実施の形態や変形例の一部又は全部を組合せて本発明の汚染廃棄物の輸送容器を構成する場合も本発明の権利範囲に含まれる。
前記実施の形態においては、保護部材として内装容器を使用した場合について説明した。しかし、例えば、廃棄物をビニールを使用して包装したり、またビニール、プラスチック、薄鋼板等を使用して被覆（梱包）したり、容器内部をプラスチックや薄鋼板で内張りしたりすることもできる。また、上記した包装、内張り、被覆、及び内装容器のいずれか２以上を組合せて使用することも勿論可能である。これにより、より確実に、保護部材からの汚染物の漏洩が防止される。
そして、前記実施の形態においては、内装容器内部の側面に緩衝材を配置した場合について説明したが、保護部材に収納する廃棄物の種類や重量等に応じて、保護部材の底面又は天井、更には底面、天井及び側面のいずれか２以上に緩衝材を配置することも可能である。これにより、廃棄物が上下移動や横移動した場合でも、保護部材の損傷を未然に防止することができる。
【００１７】
【発明の効果】
請求項１〜３記載の汚染廃棄物の輸送容器においては、繰返し使用の容器内部に、着脱可能でしかも廃棄物を収納可能な保護部材を設けるので、容器内部への汚染物の汚染が、保護部材によって防止され、容器内部の汚染を回避しつつ輸送容器を多数回使用することが可能となる。このように、輸送容器そのものは、汚染物に汚染されないため、容器を洗浄する必要性が無くなり、しかも廃洗浄水の処理問題も無くなるので、作業性が良好である。
なお、保護部材が汚染された場合には、容器内部から保護部材を取外し、これを汚染された廃棄物として適正にかつ簡便に処理できるので、作業性が良好でしかも経済的である。
【００１８】
特に、請求項２記載の汚染廃棄物の輸送容器においては、例えば廃棄物を輸送する際に、輸送時の振動などによって廃棄物が動いても、緩衝材が衝撃を吸収し、保護部材が損傷することを回避できる。これにより、保護部材を、従来のように、気密性確保、漏洩回避が必要な対象物の運搬や、機械、部材等の重量物の運搬には不適であった簡便なものとした場合でも、保護部材の損傷を防止でき、保護部材からの汚染物の漏洩を防止できるので、経済的である。
請求項３記載の汚染廃棄物の輸送容器においては、シート状吸収体により、汚染物の液体を吸収でき、汚染された保護部材の除去及び処理が容易になるので、作業性が良好になる。
【図面の簡単な説明】
【図１】本発明の一実施の形態に係る汚染廃棄物の輸送容器の説明図である。
【符号の説明】
１０：汚染廃棄物の輸送容器、１１：廃トランス（廃棄物）、１２：コンテナ、１３：コンテナ蓋、１４：内装容器（保護部材）、１５：底部、１６：床板、１７：スポンジ（シート状吸収体）、１８：緩衝材
【図１】
2004149237.tif 000003